(57)【要約】【課題】複数存在する操作入力部の選択が行い易い操作装置を提供する。【解決手段】操作装置は、操作対象機器の複数箇所に配置される動作部を操作可能である。操作装置は、前記動作部の位置に対応させて区別可能に配置される複数の操作入力部１４８ａ〜１４８ｊと、前記操作対象機器の外形を含む模式図が表示される表示領域１４８ｋと、を備える。複数の操作入力部１４８ａ〜１４８ｊのそれぞれは、当該操作入力部が操作可能な前記動作部が前記操作対象機器に配置される箇所と対応するように、前記模式図の周囲に配置されている。【選択図】図６
2014068966.tif 000002
【特許請求の範囲】
【請求項１】
操作対象機器の複数箇所に配置される動作部を操作可能な操作装置であって、
前記動作部の位置に対応させて区別可能に配置される複数の操作入力部と、
前記操作対象機器の外形を含む模式図が表示される表示領域と、
を備え、
前記複数の操作入力部のそれぞれは、当該操作入力部が操作可能な前記動作部が前記操作対象機器に配置される箇所と対応するように、前記模式図の周囲に配置されていることを特徴とする操作装置。
【請求項２】
当該装置は、前記操作対象機器に並設され、
前記模式図として示される操作対象機器の向きは、当該装置に並設される実際の前記操作対象機器の向きと同方向になることを特徴とする請求項１に記載の操作装置。
【請求項３】
前記複数の操作入力部は、複数設けられる前記動作部のそれぞれに対応して１つずつ設けられていることを特徴とする請求項１又は２に記載の操作装置。
【請求項４】
前記模式図は、当該装置を構成する部材の表面に施された絵であり、前記操作入力部は操作ボタンであることを特徴とする請求項１から３のいずれかに記載の操作装置。
【請求項５】
前記操作入力部は、前記動作部の動作状態によって発光状態が変化することを特徴とする請求項１から４のいずれかに記載の操作装置。
【請求項６】
前記操作対象機器が浴槽であることを特徴とする請求項１から５のいずれかに記載の操作装置。
【請求項７】
前記動作部は、噴流を発生可能な状態と、噴流を発生不能な状態とに切換可能な噴流ノズルであることを特徴とする請求項６に記載の操作装置。
【請求項８】
請求項１から５のいずれかに記載の操作装置と、
前記操作対象機器と、
を備え、
前記操作対象機器が浴槽であることを特徴とするリハビリテーション装置。
【請求項９】
前記浴槽に設けられる前記動作部は、噴流を発生可能な状態と噴流を発生不能な状態とに切換可能な噴流ノズルであることを特徴とする請求項８に記載のリハビリテーション装置。
【発明の詳細な説明】
【技術分野】
【０００１】
本発明は、操作装置及びリハビリテーション装置に関する。
【背景技術】
【０００２】
従来、患者の上下肢等の患部に噴流（渦流）による刺激を与えて、治療（リハビリテーションも含む）を行う水治療装置が知られている（例えば特許文献１参照）。
【０００３】
特許文献１に開示される渦流浴装置（水治療装置の一種）は、浴槽と、浴槽の内壁に設けられたノズルとを備える。この渦流浴装置においては、浴槽内に湯又は水を満たした状態で、ノズルから流体（例えば、湯又は水、或いは、湯又は水とエアーとを混合したもの等）を噴射させることによって、渦流が発生する。通常、このような装置には、ノズルは複数備えられ、複数のノズルのうちのいずれを使用するかを選択可能とする複数のボタンが設けられている。
【０００４】
なお、噴流（渦流）を用いて水治療を行う装置には、全身浴によって治療を行うものと、部分浴によって治療を行うものとがある。特許文献１に開示される装置は部分浴によって治療を行う装置である。全身浴によって治療を行う装置としては、例えばハバードタンク等がよく知られている。
【先行技術文献】
【特許文献】
【０００５】
【特許文献１】特開２００１−６１９３９号公報
【発明の概要】
【発明が解決しようとする課題】
【０００６】
上述のように、噴流を用いて水治療を行う装置には、複数のノズルが設けられており、それに対応して各ノズルを使用するか否かを選択可能とする操作ボタンも複数になっている。複数の操作ボタンは、例えば浴槽と一体的、或いは、別体として設けられる操作部（操作装置）に設けられる。
【０００７】
操作装置に複数の操作ボタンが設けられる構成では、例えばノズルの名称を知らない場合等に、使用したい操作ボタンの選択等を簡単に行い難い。例えば、全身浴を行う装置ではノズルの数が増えるために、このような傾向が大きくなるものと考えられる。また、例えば、リハビリテーションの現場では、操作装置の操作者がいつも同じとは限らない。このようなことから、当該装置を初めて使う人でも、操作ボタンの選択等を簡単に行える構成の操作装置が望まれる。
【０００８】
以上の点に鑑みて、本発明の目的は、複数存在する操作入力部（操作ボタン等）の選択が行い易い操作装置を提供することである。また、本発明の他の目的は、そのような操作装置を備えることによって使い勝手の良いリハビリテーション装置を提供することである。
【課題を解決するための手段】
【０００９】
上記目的を達成するために本発明の操作装置は、操作対象機器の複数箇所に配置される動作部を操作可能な操作装置であって、前記動作部の位置に対応させて区別可能に配置される複数の操作入力部と、前記操作対象機器の外形を含む模式図が表示される表示領域と、を備え、前記複数の操作入力部のそれぞれは、当該操作入力部が操作可能な前記動作部が前記操作対象機器に配置される箇所と対応するように、前記模式図の周囲に配置されている構成（第１の構成）になっている。
【００１０】
本構成によれば、操作対象機器の外形を含む模式図の存在によって、各動作部の名称等を知らなくても簡単に操作すべき操作入力部の選択を行うことが可能である。なお、本構成の操作装置は、床面等に固定配置されるものに限らず、移動可能なものであっても構わない。
【００１１】
上記第１の構成の操作装置は、前記操作対象機器に並設され、前記模式図として示される操作対象機器の向きは、当該装置に並設される実際の前記操作対象機器の向きと同方向になる構成（第２の構成）であるのが好ましい。本構成によれば、模式図を頼りにして、より感覚的に、操作すべき操作入力部の選択が行い易くなる。
【００１２】
上記第１又は第２の構成の操作装置において、前記複数の操作入力部は、複数設けられる前記動作部のそれぞれに対応して１つずつ設けられている構成（第３の構成）であってよい。他の構成として、前記複数の操作入力部の数と、前記複数の動作部の数とが異なる構成が採用されても構わない。
【００１３】
上記第１から第３のいずれかの構成の操作装置において、前記模式図は、当該装置を構成する部材の表面に施された絵であり、前記操作入力部は操作ボタンである構成（第４の構成）であってもよい。本構成によれば、操作装置を低コストで製造し易い。他の構成として、前記模式図が液晶表示される構成や、蛍光表示管で表示される構成等が採用されても構わない。また、前記操作入力部は、例えば操作レバーやタッチパネル等で構成されても構わない。
【００１４】
上記第１から第４のいずれかの構成の操作装置において、前記操作入力部は、前記動作部の動作状態によって発光状態が変化する構成（第５の構成）であるのが好ましい。これにより、操作入力部の状態を一目で把握できる。
【００１５】
上記第１から第５のいずれかの構成の操作装置において、前記操作対象機器が浴槽である構成（第６の構成）が採用されてもよい。そして、本構成においては、前記動作部が、噴流を発生可能な状態と、噴流を発生不能な状態とに切換可能な噴流ノズルである構成（第７の構成）が採用されてもよい。
【００１６】
また、上記目的を達成するために本発明のリハビリテーション装置は、上記第１から第５のいずれかの操作装置と、前記操作対象機器と、を備え、前記操作対象機器が浴槽である構成（第８の構成）になっている。本構成のリハビリテーション装置は、操作装置における操作入力部（操作ボタン等）の選択が容易であるために使い勝手が良い。本構成のリハビリテーション装置は、当該装置を初めて使用する人や、当該装置を使い慣れない人でも、感覚的に使用し易く便利である。
【００１７】
上記第８の構成の操作装置において、前記浴槽に設けられる前記動作部は、噴流を発生可能な状態と噴流を発生不能な状態とに切換可能な噴流ノズルである構成（第９の構成）であっても構わない。本構成によれば、例えば、使い勝手の良いハバードタンクや渦流浴装置等を提供可能である。
【発明の効果】
【００１８】
本発明によれば、複数存在する操作入力部（操作ボタン等）の選択が行い易い操作装置を提供できる。また、本発明によれば、使い勝手の良いリハビリテーション装置を提供できる。
【図面の簡単な説明】
【００１９】
【図１】本発明の実施形態に係るハバードタンクの概略斜視図
【図２】本発明の実施形態に係るハバードタンクの概略上面図
【図３】本発明の実施形態に係るハバードタンクの概略側面図
【図４】本発明の実施形態に係るハバードタンクが備える浴槽が２分割された場合の、一方のパーツの構成を示す概略図
【図５】本発明の実施形態に係るハバードタンクが備える浴槽が２分割された場合において、一方のパーツにキャスターが取り付けられた状態を示す概略平面図
【図６】本発明の実施形態に係るハバードタンクが備える操作部の操作パネルの構成を示す概略平面図
【図７】本発明の実施形態に係るハバードタンクが備える噴流システムの構成を示すブロック図
【図８】従来のハバードタンクの操作パネルに設けられる、噴流ノズル用スイッチの配置を示す模式図
【発明を実施するための形態】
【００２０】
以下、本発明の実施形態に係る操作装置及びリハビリテーション装置について、図面を参照しながら詳細に説明する。以下では、本発明が、リハビリテーション装置の一例であるハバードタンクに適用される場合を例に説明する。
【００２１】
図１は、本発明の実施形態に係るハバードタンク１の概略斜視図である。図２は、本発明の実施形態に係るハバードタンク１の概略上面図である。図３は、本発明の実施形態に係るハバードタンク１の概略側面図である。図１から図３に示すように、実施形態に係るハバードタンク１は、浴槽１１と、担架１２と、担架１２を駆動する駆動部１３と、各種の動作部を操作するための操作部１４と、を備える構成になっている。
【００２２】
なお、図１においては、担架１２は浴槽１１外に配置されている。一方、図２及び図３においては、担架１２は浴槽１１内に配置されている。また、駆動部１３及び操作部１４は、浴槽１１に固定されている。また、浴槽１１は本発明の操作対象機器の一例であり、操作部１４は本発明の操作装置の一例である。
【００２３】
上面視略ひょうたん型に設けられる浴槽１１は、例えばステンレンスによって構成されて湯（場合によっては水のこともある。以下同様）が溜められる。ハバードタンク１によって患部の治療等を行う利用者（以下、単に利用者という）は、担架１２の上に仰向けになった状態で浴槽１１内に入ることができる。
【００２４】
浴槽１１は、１つのパーツで構成されてもよいが、複数のパーツで構成されてもよい。本実施形態において、浴槽１１は、図２及び図３に示す分割位置Ｐで分けられる２つのパーツ１１ａ、１１ｂで構成されている。このように浴槽１１が複数のパーツで構成されると、搬送時のサイズを小さくできるというメリットが生じる。
【００２５】
図４は、本発明の実施形態に係るハバードタンク１が備える浴槽１１が２分割された場合の、一方のパーツ１１ａの構成を示す概略図である。図４の上側の図は、浴槽１１を上側から見た場合（図２と同方向から見た場合）を想定した図である。図４の下側の図は、分割面Ｓ（図４の上図参照）に垂直な方向に沿って見た場合を想定した図である。
【００２６】
図４に示すように、浴槽１１を分割したパーツ１１ａには、略Ｕ字状のフランジ部１１１ａが設けられている。浴槽１１を分割したパーツ１１ｂにも、同様に略Ｕ字状のフランジ部１１１ｂが設けられている（図１参照）。浴槽１１は、２つのフランジ部１１１ａ、１１１ｂの間にパッキン（不図示）を挟んだ状態で、２つのフランジ部１１１ａ、１１１ｂ間をネジ止めすることによって得られる。なお、ネジ止め箇所は、フランジ部１１１ａ、１１１ｂに複数設けられている。また、フランジ部１１１ａ、１１１ｂ間がネジ止めされる際に、パッキングがつぶれてフランジ部１１１ａ、１１１ｂ（フランジ接続部）から逃げ出さないように、当該接続部にはパッキンの逃げ防止金具が設けられるのが好ましい。
【００２７】
本実施形態では、図５に示すように、フランジ部１１１ａのネジ止め箇所にキャスター１１２が固定配置できる。図示しないが、同様に、フランジ部１１１ｂのネジ止め箇所にもキャスター１１２が固定配置できる。このために、分割した２つのパーツ１１ａ、１１ｂは、安全且つ容易に搬送することができる。なお、図５は、本発明の実施形態に係るハバードタンク１が備える浴槽１１が２分割された場合において、一方のパーツ１１ａにキャスター１１２が取り付けられた状態を示す概略平面図である。図５に示す状態において、キャスター１１２は例えば４つ取り付けられる。
【００２８】
図１から図３を参照して、担架１２は、駆動部１３によって旋回可能に設けられるアーム部１３ａの先端に取り付けられている。アーム部１３ａの旋回によって、担架１２の浴槽１１内への搬送、及び、担架１２の浴槽１１外への搬送が可能になっている。なお、担架１２は、アーム部１３ａに対して回転可能に取り付けられており、アーム部１３ａが旋回しても、担架１２の床面（浴槽１１が載置される床面）に対する姿勢は一定に保たれる。換言すると、仰臥位で担架１２に載せられた利用者の姿勢は、駆動部１３を用いて浴槽１１に入る前後で同じである。
【００２９】
なお、担架１２は、背もたれ部分の傾きが変更可能に設けられるとともに、フットレスト（足受）が収納可能に設けられている。このために、利用者は、浴槽１１内において、仰臥位のみならず、座位の姿勢も取れる。
【００３０】
図６は、本発明の実施形態に係るハバードタンク１が備える操作部１４の操作パネル１４ａの構成を示す概略平面図である。図６に示すように、操作パネル１４ａには、給湯バルブ１４１、給水バルブ１４２、及び、温度計１４３が備えられる。温度計１４３を監視しながら２つのバルブ１４１、１４２の操作量を調整することによって、給湯口１５（図１及び図３参照）を介して浴槽１１に適温の湯を溜めることができる。
【００３１】
また、操作パネル１４ａには、ポンプ作動スイッチ１４４、噴流バルブ１４５、圧注バルブ１４６、圧力計１４７、及び、噴流ポジション設定部１４８が備えられる。これらは、主に、浴槽１１内に入った利用者の患部に対して、噴流による刺激を与える噴流システムを作動させるために設けられている。その他、操作パネル１４ａには、浴槽１１の底部から気泡を発生するバブラー用のスイッチや非常停止用のスイッチ等が配置されている。
【００３２】
ここで、図７等を参照して、ハバードタンク１が備える噴流システム２０について説明しておく。なお、図７は、本発明の実施形態に係るハバードタンク１が備える噴流システム２０の構成を示すブロック図である。
【００３３】
図７に示すように、噴流システム２０はポンプ２１を備える。ポンプ２１は、ポンプ作動スイッチ１４４（図６参照）によってオンオフが切り換えられる。なお、本実施形態では、ポンプ作動スイッチ１４４をボタンで構成しているが、このスイッチはレバー等、ボタン以外の構成であっても勿論構わない。ポンプ２１の作動によって、配管（不図示）を介して浴槽１１内の湯を使用して噴流を発生できる。なお、ポンプ２１の作動に伴う配管内の圧力は圧力計１４７によって検出可能になっている。
【００３４】
ポンプ２１が作動された状態で噴流バルブ１４５が開かれると、浴槽１１内の湯が噴流ノズルヘッダー２２に送られる。そして、噴流ノズルヘッダー２２から、さらに、浴槽１１の内壁に複数設けられる噴流ノズル２３ａ〜２３ｊのそれぞれへと湯が送られる。各噴流ノズル２３は、噴流ポジション設定部１４８（詳細は後述する）の操作によって開閉が切り換えられる電磁弁を備える。当該電磁弁が開かれている場合には、噴流ノズル２３から流体（湯、水等）が噴射される。
【００３５】
詳細には、浴槽１１の内壁には、仰臥位で浴槽１１内に入る利用者の左右の肩に向けて流体を噴射する２つの噴流ノズル２３ａ、２３ｂと、同姿勢の利用者の左右の胸に向けて流体を噴射する２つの噴流ノズル２３ｃ、２３ｄと、同姿勢の利用者の左右の腰に向けて流体を噴射する２つの噴流ノズル２３ｅ、２３ｆと、同姿勢の利用者の左右の足に向けて流体を噴射する２つの噴流ノズル２３ｇ、２３ｈと、が備えられる（図２参照）。また、座位の利用者の足全体に流体を噴射できるように、足用の噴流ノズルには、前述の２つの噴流ノズル２３ｇ、２３ｈに加えて、これらの下に配置される２つの噴流ノズル２３ｉ、２３ｊが存在する（図１参照）。
【００３６】
なお、噴流ノズル２３ａ〜２３ｊが設けられる位置の近傍には、それぞれ、空気調整バルブ２４が設けられている。空気調整バルブ２４を開くことによって、噴流ノズル２３から噴出される湯に空気を混入できる。
【００３７】
噴流システム２０には、その他、圧注バルブ１４６が備えられている。ポンプ２１が作動された状態で圧注バルブ１４６が開かれると、圧注ノズル２５から流体（湯や水）が噴射される。圧注ノズル２５は、手持ち式であり、浴中圧注や浴槽１１外での圧注浴を可能にする。
【００３８】
ところで、浴槽１１内に設けられる噴流ノズル２３ａ〜２３ｊ（本発明の動作部の一例）のそれぞれには、電磁弁が備えられている。そして、利用者の治療箇所等に応じて噴流を発生させる箇所を選択できるように、各噴流ノズル２３ａ〜２３ｊの電磁弁の開閉は、噴流ポジション設定部１４８に含まれる複数の噴流スイッチ１４８ａ〜１４８ｊによって個々に操作可能とされている（図６参照）。なお、本実施形態においては、噴流スイッチ１４８ａ〜１４８ｊはボタンタイプになっている。また、噴流スイッチ１４８ａ〜１４８ｊは、本発明の操作入力部の一例である。
【００３９】
詳細には、複数の噴流スイッチ１４８ａ〜１４８ｊは、左肩用噴流スイッチ１４８ａと、右肩用噴流スイッチ１４８ｂと、左胸用噴流スイッチ１４８ｃと、右胸用噴流スイッチ１４８ｄと、左腰用噴流スイッチ１４８ｅと、右腰用噴流スイッチ１４８ｆと、左足（上）用噴流スイッチ１４８ｇと、右足（上）用噴流スイッチ１４８ｈと、左足（下）用噴流スイッチ１４８ｉと、右足（下）用噴流スイッチ１４８ｊと、で構成される。
【００４０】
噴流ポジション設定部１４８には、複数の噴流スイッチ１４８ａ〜１４８ｊに囲まれるように配置される表示領域１４８ｋが含まれる。この表示領域１４８ｋには、浴槽１１の外形をあしらった模式図が表示されている。この模式図は、表示パネル１４ａを構成する部材の表面に描かれた絵である。なお、浴槽１１の外形をあしらった模式図には、浴槽１１に入る利用者のイメージ図も含まれている。また、表示領域１４８ｋに模式図として示される浴槽の向きと、操作部１４に並設される浴槽１１の向きとは同方向とされている（図１及び図６参照）。
【００４１】
複数の噴流スイッチ１４８ａ〜１４８ｊのそれぞれは、当該噴流スイッチによって操作可能な噴流ノズルが浴槽１１に配置される箇所に対応するように、表示領域１４８ｋに表示される模式図の周囲に配置されている（図６参照）。具体例を挙げると、左肩に向けて噴流を噴射する噴流ノズル２３ａを操作する（電磁弁の切り換えを行う）ための左肩用噴流スイッチ１４８ａは、噴流ノズル２３ａの浴槽１１への配置箇所（図２参照）に対応するように、模式図の下部左側（図６を想定した表現）に配置されている。
【００４２】
図８は、従来のハバードタンクの操作パネル１００に設けられる、複数の噴流ノズル用スイッチ１０１の配置を示す模式図である。従来の構成では、噴流ノズルの浴槽における位置を示す文字のみによって各スイッチの位置を判断する構成になっている。このため、例えば噴流ノズルの名称を知らない操作者等は、スイッチを簡単に選択し難い。
【００４３】
この点、本実施形態においては、噴流ポジションを選択する操作者は、操作パネル１４ａを一目見れば、噴流ノズル２３の名称を知らなくても簡単に操作すべき噴流スイッチの位置が把握できる。表示領域１４８ｋに模式図として表示される浴槽の向きが、操作部１４に並設される浴槽１１の実際の向きと同方向になっているために、選択したい噴流スイッチの把握し易さは更に顕著である。
【００４４】
なお、噴流スイッチ１４８ａ〜１４８ｊのそれぞれは、対応する噴流ノズル２３の電磁弁が開いた状態になっている場合には、発光するように構成するのが好ましい。このように構成することで、使用中の噴流ノズル２３が一目瞭然となる。なお、噴流スイッチ１４８ａ〜１４８ｊの下部に発光部を配置して、スイッチを構成するボタンが発光する構成としてもよいが、スイッチの周囲にランプを設ける構成が採用されてもよい。
【００４５】
以上に示した実施形態は、本発明の例示にすぎない。以上に示した実施形態の構成は、本発明の技術的思想を超えない範囲で適宜変更されて構わない。
【００４６】
例えば、以上に示した実施形態では、操作部１４の表示領域１４８ｋに表示される模式図は、表示パネル１４ａを構成する部材の表面に描かれた絵である構成とした。しかし、この構成に限定されず、表示領域１４８ｋに表示される模式図は、液晶表示される構成や蛍光表示管によって表示される構成等であっても構わない。
【００４７】
また、以上に示した実施形態では、噴流ノズル２３を操作する操作入力部がボタンである構成とした。しかし、この構成に限定されず、操作入力部は、例えば操作レバーやタッチパネル等であっても構わない。
【００４８】
また、以上に示した実施形態では、複数の噴流ノズル２３ａ〜２３ｊのそれぞれに対応して、１つずつ噴流スイッチ１４８ａ〜１４８ｊが設けられる構成とした。しかし、噴流ノズルの数と操作ボタンの数とが一対一で対応していなくても本発明は適用可能である。例えば、左右の肩に対応して設けられる２つの噴流ノズル２３ａ、２３ｂを１つの噴流スイッチで操作可能とするといった具合に、左右の噴流ノズルが一つの噴流スイッチで動作するように構成される場合も、本発明は適用可能である。
【００４９】
また、以上に示した実施形態では、操作部１４が浴槽１１に並設される構成とした。しかし、この構成に限定されず、操作部（操作装置）は例えばリモコン等の持ち運び可能なもので構成されても構わない。
【００５０】
また、以上に示した実施形態では、本発明の操作装置がハバードタンクに適用される構成を示した。しかし、本発明は、部分浴用の渦流浴装置等、他のリハビリテーション装置等（リハビリテーション装置に限る趣旨ではない）に適用されても勿論構わない。また、操作装置によって動作する動作部は噴流ノズル以外であっても勿論構わない。
【符号の説明】
【００５１】
１  ハバードタンク（リハビリテーション装置）
１１  浴槽（操作対象機器）
１４  操作部（操作装置）
２３ａ〜２３ｊ  噴流ノズル（動作部）
１４８ａ〜１４８ｊ  操作ボタン（操作入力部）
１４８ｋ  表示領域
【図１】
2014068966.tif 000003
【図２】
2014068966.tif 000004
【図３】
2014068966.tif 000005
【図４】
2014068966.tif 000006
【図５】
2014068966.tif 000007
【図６】
2014068966.tif 000008
【図７】
2014068966.tif 000009
【図８】
2014068966.tif 000010